(57)【要約】【課題】配筋ピッチ等の寸法を容易に計測することのできる安価な寸法計測装置および配筋検査方法を提供する。【解決手段】長尺の標尺本体１２と、標尺本体１２に設けられ、標尺本体１２の長尺方向に沿ってスライド移動可能であるとともにスライド移動した位置で標尺本体１２に固定可能な複数のマーカー１４と、標尺本体１２に設定した基準位置Ｐ０からマーカー１４までの距離または各マーカー１４間の距離を計測する計測手段１６と、計測した距離を記録する記録手段１８とを備えるようにする。【選択図】図１
2020112513.tif 000002
【特許請求の範囲】
【請求項１】
距離寸法を計測するための寸法計測装置であって、
長尺の標尺本体と、標尺本体に設けられ、標尺本体の長尺方向に沿ってスライド移動可能であるとともにスライド移動した位置で標尺本体に固定可能な複数のマーカーと、標尺本体に設定した基準位置からマーカーまでの距離または各マーカー間の距離を計測する計測手段と、計測した距離を記録する記録手段とを備えることを特徴とする寸法計測装置。
【請求項２】
標尺本体に設けられ、計測した距離を表示するモニターをさらに備えることを特徴とする請求項１に記載の寸法計測装置。
【請求項３】
モニターは、計測した距離をデジタル表示するデジタル表示部と、計測した距離を二次元バーコードで表示する二次元バーコード表示部とを有することを特徴とする請求項２に記載の寸法計測装置。
【請求項４】
標尺本体は、配筋された複数の鉄筋間の配筋ピッチおよび鉄筋の径の少なくとも一方を計測する配筋検査用であることを特徴とする請求項１〜３のいずれか一つに記載の寸法計測装置。
【請求項５】
請求項１〜４のいずれか一つに記載の寸法計測装置を用いて配筋検査を行う方法であって、配筋された鉄筋の近くに、目盛を有する標尺本体を配置して、標尺本体に沿ってマーカーをスライド移動させてマーカーを鉄筋の位置に合わせた後、基準位置からマーカーまでの距離または各マーカー間の距離を計測して、計測した距離を記録するとともに、標尺本体とマーカーと鉄筋とを一画面に収めた写真を撮影することを特徴とする配筋検査方法。
【発明の詳細な説明】
【技術分野】
【０００１】
本発明は、鉄筋コンクリート構造物の施工時の配筋検査において、鉄筋の配置間隔（配筋ピッチ）などを自動計測するのに好適な寸法計測装置および配筋検査方法に関するものである。
【背景技術】
【０００２】
従来、鉄筋コンクリート構造物の施工時の配筋検査では、配筋された鉄筋の径と配筋ピッチが設計に適合するかを確認するため、鉄筋にマーカー（例えばカラーマグネットやカラーホースの切れ端）を付けるとともに、鉄筋の近傍に標尺を設置して、これらを一画面に収めた写真を撮影し、現場の標尺または写真から標尺の目盛を読み取ることで鉄筋の径、ピッチを計測し、計測した値を数値データ化することで、検査を実施していた。この際、現場技術者が計測データをパソコン等に打ち直して検査一覧表を作成し、これを検査に使用していた。しかし、このような方法はアナログ的であるため、現場技術者に多大な手間がかかっていた。
【０００３】
こうした手間を減らすようにした装置として、例えば特許文献１に記載の配筋測定装置が知られている。この装置は、矩形の白板および鉄筋を一画面に収めてカメラで撮影するとともに、レーザー距離計でカメラから白板までの距離を測定し、カメラと白板との位置関係を特定して、その位置関係に基づいて画像に含まれる鉄筋の径、ピッチを測定するものである。
【０００４】
他方、目盛の読み取りを不要とし、長さなどを簡単かつ高精度に測定できるものさしとして、例えば特許文献２に記載のデジタル表示式ものさしが知られている。このものさしは、ものさし本体に目盛を有する目盛部を形成するとともに、この目盛部の目盛方向に沿ってガイドを形成し、このガイドに沿ってスライダを移動自在に装着し、このスライダにそのスライダの移動量を表示するデジタル表示器と、基線を有する基線プレートとを設けたものである。基線プレートの基線を測定対象部位の始端および終端に合わせると、その間の長さがデジタル表示器にデジタル表示されるようになっている。
【先行技術文献】
【特許文献】
【０００５】
【特許文献１】特開２０１７−１５４５５号公報
【特許文献２】特開平８−１８４４２７号公報
【発明の概要】
【発明が解決しようとする課題】
【０００６】
しかし、上記の従来の特許文献１に記載の配筋測定装置は、レーザー距離計のような高精度距離計を要するとともに、複雑で高度な画像処理を伴うものであることから、装置コストが高くなるとともに、取り扱いが難しいという問題があった。また、上記の従来の特許文献２に記載のデジタル表示式ものさしは、配筋ピッチ等の複数区間の寸法を一度に計測したり、計測した結果を記録することはできないため、利便性が低いという問題があった。このため、配筋検査の手間を軽減するために、配筋ピッチ等を容易に計測することのできる安価な装置が求められていた。
【０００７】
本発明は、上記に鑑みてなされたものであって、配筋ピッチ等の寸法を容易に計測することのできる安価な寸法計測装置および配筋検査方法を提供することを目的とする。
【課題を解決するための手段】
【０００８】
上記した課題を解決し、目的を達成するために、本発明に係る寸法計測装置は、距離寸法を計測するための寸法計測装置であって、長尺の標尺本体と、標尺本体に設けられ、標尺本体の長尺方向に沿ってスライド移動可能であるとともにスライド移動した位置で標尺本体に固定可能な複数のマーカーと、標尺本体に設定した基準位置からマーカーまでの距離または各マーカー間の距離を計測する計測手段と、計測した距離を記録する記録手段とを備えることを特徴とする。
【０００９】
また、本発明に係る他の寸法計測装置は、上述した発明において、標尺本体に設けられ、計測した距離を表示するモニターをさらに備えることを特徴とする。
【００１０】
また、本発明に係る他の寸法計測装置は、上述した発明において、モニターは、計測した距離をデジタル表示するデジタル表示部と、計測した距離を二次元バーコードで表示する二次元バーコード表示部とを有することを特徴とする。
【００１１】
また、本発明に係る他の寸法計測装置は、上述した発明において、標尺本体は、配筋された複数の鉄筋間の配筋ピッチおよび鉄筋の径の少なくとも一方を計測する配筋検査用であることを特徴とする。
【００１２】
また、本発明に係る配筋検査方法は、上述した寸法計測装置を用いて配筋検査を行う方法であって、配筋された鉄筋の近くに、目盛を有する標尺本体を配置して、標尺本体に沿ってマーカーをスライド移動させてマーカーを鉄筋の位置に合わせた後、基準位置からマーカーまでの距離または各マーカー間の距離を計測して、計測した距離を記録するとともに、標尺本体とマーカーと鉄筋とを一画面に収めた写真を撮影することを特徴とする。
【発明の効果】
【００１３】
本発明に係る寸法計測装置によれば、距離寸法を計測するための寸法計測装置であって、長尺の標尺本体と、標尺本体に設けられ、標尺本体の長尺方向に沿ってスライド移動可能であるとともにスライド移動した位置で標尺本体に固定可能な複数のマーカーと、標尺本体に設定した基準位置からマーカーまでの距離または各マーカー間の距離を計測する計測手段と、計測した距離を記録する記録手段とを備えるので、例えば、従来のように標尺本体を配筋箇所に配置した後、マーカーを鉄筋の位置に合わせるだけで基準位置からマーカーまでの距離または各マーカー間の距離を記録することができる。このため、配筋ピッチや鉄筋の径などの寸法を容易に計測することができるとともに、配筋ピッチ等の複数区間の寸法を一度に計測することができ、配筋検査などの寸法検査の手間を軽減することができるという効果を奏する。
【００１４】
また、本発明に係る他の寸法計測装置によれば、標尺本体に設けられ、計測した距離を表示するモニターをさらに備えるので、例えば、標尺本体とマーカーと検査対象の鉄筋とモニターとを一画面に収めた写真を撮影すれば、従来の写真撮影による検査と同様に、検査結果が判りやすくなるという効果を奏する。
【００１５】
また、本発明に係る他の寸法計測装置によれば、モニターは、計測した距離をデジタル表示するデジタル表示部と、計測した距離を二次元バーコードで表示する二次元バーコード表示部とを有するので、例えば、このモニターの表示と検査対象とを一画面に収めた検査写真を撮影すれば、計測した距離の情報を写真の中に埋め込むことが可能となる。また、埋め込んだ情報は、バーコードリーダーなどを用いて比較的容易にパソコンなどの端末に取り込むことができるという効果を奏する。
【００１６】
また、本発明に係る他の寸法計測装置によれば、標尺本体は、配筋された複数の鉄筋間の配筋ピッチおよび鉄筋の径の少なくとも一方を計測する配筋検査用であるので、配筋ピッチや鉄筋の径を容易に計測することができ、配筋検査の手間を軽減することができるという効果を奏する。
【００１７】
また、本発明に係る配筋検査方法によれば、上述した寸法計測装置を用いて配筋検査を行う方法であって、配筋された鉄筋の近くに、目盛を有する標尺本体を配置して、標尺本体に沿ってマーカーをスライド移動させてマーカーを鉄筋の位置に合わせた後、基準位置からマーカーまでの距離または各マーカー間の距離を計測して、計測した距離を記録するとともに、標尺本体とマーカーと鉄筋とを一画面に収めた写真を撮影するので、配筋検査の手間が軽減することに加え、従来の写真撮影による検査と同様に、判りやすい検査結果を得ることができるという効果を奏する。
【図面の簡単な説明】
【００１８】
【図１】図１は、本発明に係る寸法計測装置および配筋検査方法の実施の形態を示す図である。
【図２】図２は、本発明に係る寸法計測装置および配筋検査方法の実施の形態を示す配筋検査イメージ図である。
【図３】図３は、本発明に係る寸法計測装置および配筋検査方法の他の実施の形態を示す配筋検査イメージ図である。
【発明を実施するための形態】
【００１９】
以下に、本発明に係る寸法計測装置および配筋検査方法の実施の形態について、鉄筋の配筋検査に適用する場合を例にとり、図面に基づいて詳細に説明する。なお、この実施の形態によりこの発明が限定されるものではない。
【００２０】
（寸法計測装置）
まず、本発明に係る寸法計測装置の実施の形態について説明する。
図１に示すように、本実施の形態に係る寸法計測装置１０は、配筋ピッチおよび鉄筋の径の少なくとも一方（寸法）を自動計測するためのものである。この寸法計測装置１０は、一定幅の長尺帯状に形成されたプラスチック製の標尺本体１２と、長手方向へスライド移動自在に標尺本体１２に装着された複数のマーカー１４と、計測手段１６と、記録手段１８と、モニター２０とを備える。標尺本体１２、マーカー１４、計測手段１６は、例えば特許文献２に記載のデジタル表示式ものさしの構成要素を利用することができる。
【００２１】
標尺本体１２には、幅方向中央に目盛部２２が、一方の側縁側に図示しないガイドがそれぞれ長手方向に沿って形成されている。目盛部２２には、長手方向に沿って目盛が所定間隔（例えば５ｍｍ）で刻まれている。また、標尺本体１２には、複数の電極を長手方向に一定ピッチ間隔で配列した図示しないメインスケールが貼り付けられている。なお、目盛部２２は本発明に必須な構成ではないが、従来の写真撮影による配筋検査を可能とするために標尺本体１２に形成されていることが望ましい。
【００２２】
マーカー１４は、標尺本体１２の図示しないガイドに対してスライド移動自在に装着される。マーカー１４は、スライド移動した位置でガイドとの摩擦力等により動かないように固定可能である。マーカー１４は、目立つ色彩が施された三角形状のものであり、標尺本体１２の長手方向に直角な方向に尖った頂点部２４で目盛を指示可能である。なお、マーカー１４の形状は三角形状のものに限るものではなく、例えば円形や四角形など、いかなる形状でもよい。
【００２３】
計測手段１６は、マーカー１４の内部に設けられ、所定の基準位置（例えば標尺本体１２の左端Ｐ０）からのマーカー１４の移動量（距離）を検出する変位検出器を含んで構成される。この変位検出器は、標尺本体１２に貼り付けられた図示しないメインスケールの電極と静電的に結合可能な電極を有するインデックススケールと、これら両スケールの相対移動に応じて変化する静電容量信号を処理してマーカー１４の移動変位量に対応する電気信号（パルス）を出力する信号処理回路と、この信号処理回路からのパルス数をカウントして、計測データとして記録手段１８に記録させるカウンタとから構成されている。
【００２４】
記録手段１８は、計測手段１６による計測データを記録するメモリ等からなり、標尺本体１２に設けられる。モニター２０は、計測データや配筋検査用データをデジタル表示するためのデジタル表示器（デジタル表示部）であり、標尺本体１２に設けられる。なお、モニター２０には、図示しないキーボード等の入力手段から入力された検査基準値などもデジタル表示可能である。
【００２５】
上記構成の動作および作用について説明する。
図２に示すように、略平行に配置された複数の鉄筋Ｓからなる配筋検査対象の部位に、スケール本体１２を沿わせるとともに、各マーカー１４を移動させてその頂点部２４を鉄筋Ｓ位置（例えば鉄筋軸心Ｃ）に合わせる。こうすることで、基準位置Ｐ０から各マーカー１４までの距離Ｌが計測手段１６により自動的に計測されるとともに、計測データが記録手段１８に自動的に記録される。その後、現場技術者が、記録手段１８と図外のパソコン等とを接続して、記録手段１８に記録された計測データをパソコン等で読み出し、計測データから隣り合うマーカー１４間の長さを算定すれば、配筋ピッチＭが求められる。求めた配筋ピッチＭを一覧表にすることで、その検査一覧表を容易に作成することができる。
【００２６】
本実施の形態によれば、従来のように標尺本体１２を配筋箇所に配置した後、マーカー１４を鉄筋Ｓの位置に合わせるだけで基準位置Ｐ０からマーカー１４までの距離Ｌを記録することができる。このため、現場での目盛の読み取りや撮影写真からの目盛の読み取りを不要にでき、配筋ピッチＭを間違いなく簡単かつ高精度に計測できる。また、記録手段１８に自動的に記録された計測データを利用することで、従来の方法に比べて検査一覧表を容易に作成でき、現場技術者の作業手間を軽減することができる。これにより、施工現場の生産性向上が図れる。本実施の形態は、標尺本体１２、マーカー１４、計測手段１６、記録手段１８等という簡易な構成のため安価であるとともに、取り扱いも容易である。
【００２７】
また、従来の写真撮影による検査のように、寸法計測装置１０と鉄筋Ｓとを一画面に収めた写真を撮影すれば、従来と同様に検査結果を判りやすくすることができる。この場合、モニター２０に各計測データをデジタル表示させておき、モニター２０と標尺本体１２とマーカー１４と鉄筋Ｓとを一画面に収めた写真を撮影する。このようにすれば、撮影された写真からも計測データが所定の検査基準値に適合するか否かを視覚的に判断可能である。
【００２８】
なお、このようにする代わりに、あらかじめモニター２０に検査基準値をデジタル表示させておき、モニター２０と標尺本体１２とマーカー１４と鉄筋Ｓとを一画面に収めた写真を撮影してもよい。図２の例では、モニター２０に配筋ピッチＭの基準値として「２５０」（単位ｍｍ）がデジタル数値で表示された場合を示している。このようにすれば、撮影された写真からも配筋ピッチＭが検査基準値に適合するか否かを視覚的に判断可能である。
【００２９】
また、所定の操作（例えば、標尺本体１２等に付属するボタン操作）に基づいて、検査基準値と配筋ピッチＭとを比較し、差があるならその旨を例えば音声や数値の色変化等で報知してもよい。このようにすれば、検査手間をさらに軽減することができる。
【００３０】
また、所定の操作（例えば、標尺本体１２等に付属するボタン操作）に基づいて、モニター２０の表示内容を検査基準値、二次元バーコード、計測データ、配筋ピッチ等に切り換え可能なようにしてもよい。このようにすれば、利便性をさらに向上することができる。
【００３１】
上記の実施の形態においては、現場技術者が、記録手段１８と図外のパソコン等とを接続して、記録手段１８に記録された計測データをパソコン等で読み出し、計測データから隣り合うマーカー１４間の長さを算定して配筋ピッチＭを求める場合を例にとり説明したが、本発明はこれに限るものではない。例えば、寸法計測装置１０が算定手段を備えるようにし、この算定手段が計測データから隣り合うマーカー１４間の長さを算定して配筋ピッチＭを求めるようにしてもよい。また、こうして算定した配筋ピッチＭの数値をモニター２０に表示させてもよい。このようにすれば、配筋ピッチＭの算定手間を軽減することができる。また、上記の実施の形態において、計測手段１６が各マーカー１４間の距離を測定するようにしてもいい。その場合には、複数区間の配筋ピッチＭ等の寸法を計測するため、マーカー１４は３つ以上であることが好ましく、そのうちの一つは基準位置Ｐ０に配置することが好ましい。
【００３２】
また、記録手段１８に記録された計測データを無線ＬＡＮ、Ｂｌｕｅｔｏｏｔｈ（登録商標）等の無線通信規格でパソコンやタブレット等の端末に送信できるようにしてもよい。このようにすれば、利便性をさらに向上することができる。
【００３３】
また、記録手段１８には、一回の計測データのみ記録できるようにしてもよいし、複数の計測データを記録できるようにしてもよい。複数の計測データを記録する場合には、各計測データに対応付けて識別情報を記録する方がよく、この場合、当該識別情報は、撮影時の日付や時間、ＧＮＳＳによる撮影位置の位置データ等のユニークなＩＤを用いればよく、それらの入力方法については音声入力やキーボード入力、スマートフォン等からの入力等、いずれの方法でもよい。
【００３４】
また、上記の実施の形態において、配筋ピッチＭを自動計測する場合を例にとり説明したが、本発明はこれに限るものではなく、鉄筋Ｓの径Ｄを自動計測するようにしてもよい。この場合、例えば、マーカー１４を鉄筋Ｓの左側外縁と右側外縁とに合わせて距離Ｌを計測し、両者間の差を求めることによって径Ｄを計測する。これにより、配筋検査の手間を軽減することができる。
【００３５】
また、上記の実施の形態において、モニター２０は、例えば図３に示すように、各計測データをデジタル表示するデジタル表示部２０Ｂ（デジタル表示器）に加えて、各計測データを二次元バーコード（例えばＱＲコード（登録商標））で表示する二次元バーコード表示部２０Ａを有してもよい。モニター２０の表示と検査対象とを一画面に収めた検査写真を撮影すれば、各計測データの情報を写真の中に埋め込むことが可能となる。埋め込んだ情報は、バーコードリーダーなどを用いて比較的容易にパソコンなどの端末に取り込むことができるので、端末による計測データの処理が可能となる。
【００３６】
（配筋検査方法）
次に、本発明に係る配筋検査方法の実施の形態について説明する。
本実施の形態に係る配筋検査方法は、上記の寸法計測装置１０を用いて配筋検査を行う方法である。この方法は、図２に示すように、配筋された鉄筋Ｓの近くに、目盛部２２を有する標尺本体１２を配置して、標尺本体１２に沿ってマーカー１４をスライド移動させてマーカー１４を鉄筋Ｓの位置に合わせた後、基準位置Ｐ０からマーカー１４までの距離Ｌを計測して、計測した距離Ｌを記録するとともに、標尺本体１２とマーカー１４と鉄筋Ｓとを一画面に収めた写真を撮影するものである。このようにすれば、上述したように、配筋検査の手間が軽減することに加え、従来の写真撮影による検査と同様に、判りやすい検査結果を得ることができる。
【００３７】
なお、本発明はこれに限るものではなく、上述したように、モニター２０に各計測データや検査基準値をデジタル表示させておき、モニター２０と標尺本体１２とマーカー１４と鉄筋Ｓとを一画面に収めた写真を撮影してもよい。
【００３８】
以上説明したように、本発明に係る寸法計測装置によれば、距離寸法を計測するための寸法計測装置であって、長尺の標尺本体と、標尺本体に設けられ、標尺本体の長尺方向に沿ってスライド移動可能であるとともにスライド移動した位置で標尺本体に固定可能な複数のマーカーと、標尺本体に設定した基準位置からマーカーまでの距離または各マーカー間の距離を計測する計測手段と、計測した距離を記録する記録手段とを備えるので、例えば、従来のように標尺本体を配筋箇所に配置した後、マーカーを鉄筋の位置に合わせるだけで基準位置からマーカーまでの距離または各マーカー間の距離を記録することができる。このため、配筋ピッチや鉄筋の径などの寸法を容易に計測することができるとともに、配筋ピッチ等の複数区間の寸法を一度に計測することができ、配筋検査などの寸法検査の手間を軽減することができる。
【００３９】
また、本発明に係る他の寸法計測装置によれば、標尺本体に設けられ、計測した距離を表示するモニターをさらに備えるので、例えば、標尺本体とマーカーと検査対象の鉄筋とモニターとを一画面に収めた写真を撮影すれば、従来の写真撮影による検査と同様に、検査結果が判りやすくなる。
【００４０】
また、本発明に係る他の寸法計測装置によれば、モニターは、計測した距離をデジタル表示するデジタル表示部と、計測した距離を二次元バーコードで表示する二次元バーコード表示部とを有するので、例えば、このモニターの表示と検査対象とを一画面に収めた検査写真を撮影すれば、計測した距離の情報を写真の中に埋め込むことが可能となる。また、埋め込んだ情報は、バーコードリーダーなどを用いて比較的容易にパソコンなどの端末に取り込むことができる。
【００４１】
また、本発明に係る他の寸法計測装置によれば、標尺本体は、配筋された複数の鉄筋間の配筋ピッチおよび鉄筋の径の少なくとも一方を計測する配筋検査用であるので、配筋ピッチや鉄筋の径を容易に計測することができ、配筋検査の手間を軽減することができる。
【００４２】
また、本発明に係る配筋検査方法によれば、上述した寸法計測装置を用いて配筋検査を行う方法であって、配筋された鉄筋の近くに、目盛を有する標尺本体を配置して、標尺本体に沿ってマーカーをスライド移動させてマーカーを鉄筋の位置に合わせた後、基準位置からマーカーまでの距離または各マーカー間の距離を計測して、計測した距離を記録するとともに、標尺本体とマーカーと鉄筋とを一画面に収めた写真を撮影するので、配筋検査の手間が軽減することに加え、従来の写真撮影による検査と同様に、判りやすい検査結果を得ることができる。
【産業上の利用可能性】
【００４３】
以上のように、本発明に係る寸法計測装置および配筋検査方法は、鉄筋コンクリート構造物の施工時の配筋検査において、鉄筋の配筋ピッチなどを自動計測するのに有用であり、特に、容易かつ安価に計測するのに適している。
【符号の説明】
【００４４】
１０  寸法計測装置
１２  標尺本体
１４  マーカー
１６  計測手段
１８  記録手段
２０  モニター
２２  目盛部
２４  頂点部
Ｃ  軸心
Ｄ  径
Ｌ  距離
Ｍ  配筋ピッチ
Ｐ０  基準位置
Ｓ  鉄筋
【図１】
2020112513.tif 000003
【図２】
2020112513.tif 000004
【図３】
2020112513.tif 000005